(57)【要約】【課題】動画像記録時におけるレンズ駆動音の取り込みが低減されたカメラを提供できる。【解決手段】本発明のカメラ（１００）は、静止画像と動画像と記録可能であり且つオートフォーカス可能なカメラ（１００）であって、外部マイク接続端子（１３３）を備え、動画像記録時において、外部マイク接続端子（１３３）に外部マイク（２００）が接続された場合に、オートフォーカスを行うこと、を特徴とする。【選択図】図３
2010178279.tif 000002
【特許請求の範囲】
【請求項１】
静止画像と動画像と記録可能であり且つオートフォーカス可能なカメラであって、
外部マイク接続端子を備え、
動画像記録時において、外部マイク接続端子に外部マイクが接続された場合に、オートフォーカスを行うこと、を特徴とするカメラ。
【請求項２】
撮影レンズを通過して入射した被写体光を電気信号に変換する撮像部と、
前記電気信号に基づく静止画像を記録する静止画像記録部と、
前記電気信号に基づく動画像を記録する動画像記録部と、
前記電気信号に基づいて前記被写体光の前記撮像部における合焦状態を検出する合焦状態検出部と、
前記合焦状態検出部により検出された合焦状態に基づき、前記被写体光が前記撮像部において合焦するように前記撮影レンズを駆動可能なレンズ駆動部と、
外部マイクが接続可能な外部マイク接続端子と、
前記外部マイク接続端子への前記外部マイクの接続を検知する外部マイク接続検知部と、
前記動画像記録部による前記動画像記録時において、前記外部マイク接続検知部が前記外部マイク接続端子への前記外部マイクの接続を検知した場合に、前記被写体光が前記撮像部において合焦するように、前記レンズ駆動部により前記撮影レンズを駆動させる制御部と、
を備えること、を特徴とするカメラ。
【請求項３】
請求項２に記載のカメラであって、
前記合焦状態検出部は、前記電気信号により生成された画像のコントラストに基づいて前記合焦状態を検出すること、
を特徴とするカメラ。
【請求項４】
請求項１〜３のいずれか１項に記載のカメラであって、
前記外部マイクは、ステレオタイプであること、
を特徴とするカメラ。
【請求項５】
請求項１〜４のいずれか１項に記載のカメラであって、
被写体光の光路を屈折させてファインダに導く可動ミラーを備えること、
を特徴とするカメラ。
【請求項６】
カメラ本体に着脱可能な撮影レンズを通過して入射した被写体光を電気信号に変換する撮像部と、
前記電気信号に基づく静止画像を記録する静止画像記録部と、
前記電気信号に基づく動画像を記録する動画像記録部と、
前記電気信号に基づいて前記撮像部における合焦状態を検出する合焦状態検出部と、
前記合焦状態検出部により検出された合焦状態に基づき、前記被写体光が前記撮像部において合焦するように前記撮影レンズを駆動可能なレンズ駆動部と、
音声を取得する内蔵マイクと、
装着されている前記撮影レンズに関するレンズ情報が入力されるレンズ情報取得部と、
前記動画像記録部による前記動画像記録時において、前記レンズ情報取得部から入力された前記レンズ情報に基づいて、前記被写体光が撮像面に合焦するように、前記レンズ駆動部により前記撮影レンズを駆動させて、前記被写体光を前記撮像部に合焦させる制御部と、
を備えること、を特徴とするカメラ。
【請求項７】
請求項６に記載のカメラであって、
前記撮影レンズの前記レンズ駆動部が超音波モータであるというレンズ情報を前記レンズ情報取得部が取得した場合に前記制御部は、前記被写体光が撮像面に合焦するように、前記レンズ駆動部により前記撮影レンズを駆動させること、
を特徴とするカメラ。
【発明の詳細な説明】
【技術分野】
【０００１】
本発明はカメラに関し、より詳細には、静止画像と動画像とを記録可能な電子カメラに関する。
【背景技術】
【０００２】
デジタルカメラにおいて、静止画像のみならず、動画像を記録可能で、動画撮影時に録音を行うマイクを内蔵したものがある。このようなカメラは、動画像記録時において撮影レンズのオートフォーカス動作が行われると、レンズの駆動音等も録音してしまうという問題を生じる。
【０００３】
このため、従来、カメラ本体に対して着脱自在な外付け照明装置にマイク部を設ける構成が知られている（たとえば、特許文献１参照）。この従来技術によれば、カメラの駆動音の影響を抑えて高音質な音が録音可能であるとともに、マイク部から得た情報及びデジタルカメラ本体が得た情報を相互に利用し合うことにより、マイク部の制御及びデジタルカメラ本体の制御を的確に行うことができる。
【先行技術文献】
【特許文献】
【０００４】
【特許文献１】特開２００６−２５８８３６号公報
【発明の概要】
【発明が解決しようとする課題】
【０００５】
しかし、上記従来技術においては、外付け照明装置に設けられたマイクを使用しない場合の動画像記録における音声の取り込みについては開示されていない。
【０００６】
本発明の課題は、動画像記録時におけるレンズ駆動音の取り込みを低減可能なカメラを提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、静止画像と動画像と記録可能であり且つオートフォーカス可能なカメラ（１００）であって、外部マイク接続端子（１３３）を備え、動画像記録時において、外部マイク接続端子（１３３）に外部マイク（２００）が接続された場合に、オートフォーカスを行うこと、を特徴とするカメラ（１００）である。
請求項２に記載の発明は、撮影レンズ（１０）を通過して入射した被写体光を電気信号に変換する撮像部（３０）と、前記電気信号に基づく静止画像を記録する静止画像記録部（１０７）と、前記電気信号に基づく動画像を記録する動画像記録部（１０９）と、前記電気信号に基づいて前記被写体光の前記撮像部（３０）における合焦状態を検出する合焦状態検出部（１０２）と、前記合焦状態検出部（１０２）により検出された合焦状態に基づき、前記被写体光が前記撮像部（３０）において合焦するように前記撮影レンズ（１０）を駆動可能なレンズ駆動部（１４）と、外部マイク（２００）が接続可能な外部マイク接続端子（１３３）と、前記外部マイク接続端子（１３３）への前記外部マイク（２００）の接続を検知する外部マイク接続検知部（１１０）と、前記動画像記録部（１０９）による前記動画像記録時において、前記外部マイク接続検知部（１１０）が前記外部マイク接続端子（１３３）への前記外部マイク（２００）の接続を検知した場合に、前記被写体光が前記撮像部（３０）において合焦するように、前記レンズ駆動部（１４）により前記撮影レンズ（１０）を駆動させる制御部（１０１）と、を備えること、を特徴とするカメラ（１００）である。
請求項３に記載の発明は、請求項２に記載のカメラ（１００）であって、前記合焦状態検出部（１０２）は、前記電気信号により生成された画像のコントラストに基づいて前記合焦状態を検出すること、を特徴とするカメラ（１００）である。
請求項４に記載の発明は、請求項１〜３のいずれか１項に記載のカメラ（１００）であって、前記外部マイク（２００）は、ステレオタイプであること、を特徴とするカメラ（１００）である。
請求項５に記載の発明は、請求項１〜４のいずれか１項に記載のカメラ（１００）であって、被写体光の光路を屈折させてファインダ（５７）に導く可動ミラー（２０）を備えること、を特徴とするカメラ（１００）である。
請求項６に記載の発明は、カメラ（１００）本体に着脱可能な撮影レンズ（１０）を通過して入射した被写体光を電気信号に変換する撮像部（３０）と、前記電気信号に基づく静止画像を記録する静止画像記録部（１０７）と、前記電気信号に基づく動画像を記録する動画像記録部（１０９）と、前記電気信号に基づいて前記撮像部（３０）における合焦状態を検出する合焦状態検出部（１０２）と、前記合焦状態検出部（１０２）により検出された合焦状態に基づき、前記被写体光が前記撮像部（３０）において合焦するように前記撮影レンズ（１０）を駆動可能なレンズ駆動部（１４）と、音声を取得する内蔵マイク（１３１）と、装着されている前記撮影レンズ（１０）に関するレンズ情報が入力されるレンズ情報取得部（１３）と、前記動画像記録部（１０９）による前記動画像記録時において、前記レンズ情報取得部（１３）から入力された前記レンズ情報に基づいて、前記被写体光が撮像面に合焦するように、前記レンズ駆動部（１４）により前記撮影レンズ（１０）を駆動させて、前記被写体光を前記撮像部（３０）に合焦させる制御部（１０１）と、を備えること、を特徴とするカメラ（１００）である。
請求項７に記載の発明は、請求項６に記載のカメラ（１００）であって、前記撮影レンズ（１０）の前記レンズ駆動部（１４）が超音波モータであるというレンズ情報を前記レンズ情報取得部が取得した場合に前記制御部（１０１）は、前記被写体光が撮像面に合焦するように、前記レンズ駆動部（１４）により前記撮影レンズ（１０）を駆動させること、を特徴とするカメラ（１００）である。
【０００９】
なお、符号を付して説明した構成は、適宜改良してもよく、また、少なくとも一部を他の構成物に代替してもよい。
【発明の効果】
【００１０】
本発明によれば、動画像記録時におけるレンズ駆動音の取り込みを低減可能なカメラを提供することができる。
【図面の簡単な説明】
【００１１】
【図１】本発明の実施形態としてのカメラの概略図である。
【図２】カメラの制御システム構成を示すブロック図である。
【図３】カメラにおける接続端子配設側の側面図である。
【図４】カメラの背面図である。
【図５】動画像記録時における制御フローチャートである。
【図６】第２実施形態である動画像記録時における制御フローチャートである。
【発明を実施するための形態】
【００１２】
（第１実施形態）
以下、図面等を参照して、本発明の実施形態について説明する。
図１は、本発明の実施形態としてのカメラ１００の概略図である。また、図２は、本発明のカメラ１００の制御システムを示すブロック図である。
なお、図面には、適宜、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１３】
カメラ１００は、レンズ交換式のデジタル一眼レフカメラであって、カメラ本体１００ａと、カメラ本体１００ａに対して着脱可能な撮影レンズ１０とにより構成されている。詳細には図示していないが、カメラ本体１００ａはカメラマウントを備え、また、撮影レンズ１０はレンズマウントを備えており、カメラマウントとレンズマウントとの結合によって、カメラ本体１００ａに対して撮影レンズ１０が光軸ＯＡを一致させた状態で装着されるようになっている。これにより、カメラ本体１００ａに対して撮影レンズ１０が着脱可能となっており、撮影対象に応じて焦点距離や機能等の異なる種種の撮影レンズ１０を交換して用いることができる。
【００１４】
カメラ１００は、オートフォーカス対応の撮影レンズ１０を使用することで、オートフォーカスによってピント合わせ（合焦）を行う機能を備えている。なお、以下の説明において、オートフォーカスはＡＦとも略記する。
【００１５】
撮影レンズ１０は、絞り１１を備え、また、光軸ＯＡに沿って移動されることで焦点調整を行う合焦レンズ群を備えている。撮影レンズ１０において、ＡＦの際の合焦レンズ群の移動は、後述するレンズ駆動回路１２１によって行われる。
【００１６】
撮影レンズ１０では、カメラマウントとレンズマウントとに設けられた電気接点１２，１３によって電力および制御信号交換を行うようになっている。撮影レンズ１０の各レンズ群を駆動するレンズ駆動部１４としては、本実施形態では超音波モータを使用する。さらに、撮影レンズ１０は、当該撮影レンズ１０の固有情報（焦点距離，開放Ｆ値およびモータ種別等）を格納しており、これらのレンズ情報は電気接点１２，１３を介してカメラ本体１００ａ側において取得できるようになっている。
【００１７】
カメラ本体１００ａは、光軸ＯＡに沿って、ミラー部２０と、撮像部３０とを備える。さらに、撮影レンズ１０に入射した光のうちの、ミラー部２０によって図中下方に向けられた光が入射する焦点検出部４０と、ミラー部２０によって図中上方に向けられた光が入射するファインダー部５０と、を備える。
【００１８】
ミラー部２０は、撮影レンズ１０の出射側に配置され、メインミラー２１及びサブミラー２２を備える。メインミラー２１は、撮影レンズ１０を通過した光をファインダー部５０に向けて反射する。メインミラー２１は、その一部がハーフミラーとなっており、光の一部を透過させる。また、メインミラー２１は、撮影時にレリーズボタン（図示せず）が押されると、反射面が光軸ＯＡに対して略平行となるミラーアップ位置に退避する。サブミラー２２は、メインミラー２１のハーフミラー部分を透過した光を反射させ、その進路を焦屈曲させて焦点検出部４０に導く。
【００１９】
撮像部３０は、シャッター３１、ローパスフィルター３２及び撮像素子３３を備える。シャッター３１は、当該カメラ１００の全体制御を行うＭＣＵ１０１(図２に示す）からの信号によりシャッタースピードが制御される。
撮像素子３３は、画素と呼ばれる光電変換素子（たとえばフォトダイオード）が二次元のマトリクス状に配列された撮像面にカラーフィルタが配置されて構成され、ドライバーにより撮像面に結像された被写体画像に対応した信号電荷を蓄積する。これにより、撮影レンズ１０によって結像された被写体像を電気信号に変換する。たとえば、ＣＣＤやＣＭＯＳセンサー等である。
また、撮像素子３３の後部には基板３４が配置され、基板３４には、カメラ１００の全体制御を行うＭＣＵ１０１及び後述する各種回路が配置されている。さらに、カメラ本体１００ａの撮影者側背面には、背面液晶モニタ３５が配置されている。
【００２０】
焦点検出部４０は、焦点検出用センサー４１を備える。焦点検出用センサー４１には、メインミラー２１から分岐され、サブミラー２２によって反射された光が入射する。
【００２１】
ファインダー部５０は、ペンタプリズム５３及び接眼レンズ５６を備える。撮影レンズ１０を通過した被写体光は、メインミラー２１によって図１のＹプラス方向に反射され、ペンタプリズム５３を通り、さらに複数のレンズより構成される接眼レンズ５６を経てファインダー５７に導かれる。
【００２２】
つぎに、図２に示すシステムブロック図に基づいて、カメラ１００の制御システム構成を説明する。
ＭＣＵ１０１は、カメラ１００の制御を司るマイクロコンピュータである。
撮像素子３３は、撮影レンズ１０よってその撮像面に結像された被写体像を、光電変換し、Ａ／Ｄ変換回路１０３へ出カする。
撮像素子３３及びＡ／Ｄ変換回路１０３は、タイミング回路１０４から出カされる駆動信号によって所定の動作タイミングで駆動される。
【００２３】
画像処理制御回路１０５は、Ａ／Ｄ変換回路１０３から出力された画像データに対して、ホワイトバランス調整、シャープネス調整、ガンマ補正、階言周調整等の各種画像補正及び各色の画像データに対して補間処理を行う。
ＳＤＲＡＭ１０６は、画像処理制御回路１０５において補間処理されたデータを一時的に記憶するメモリである。
【００２４】
画像処理制御回路１０５には、コントラスト焦点検出回路１０２が接続されている。
コントラスト焦点検出回路１０２は、撮像素子３３からの画像データを利用して、コントラスト検出方式の合焦を行うためにコントラストの値を検出し、ＭＣＵ１０１に出カする回路である。ＭＣＵ１０１は、動画像記録時に、このコントラスト焦点検出回路１０２からの入力情報と、レンズ情報入力回路１１９からの入力情報を基にレンズ駆動回路１２１を制御して合焦を行う。
コントラスト検出方式の合焦とは、コントラストがピーク値を示す位置を合焦位置と判定する。すなわち、撮影レンズを少しずつ動かして被写体像のコントラストが一番高い位置を探し、そこを合焦位置とするものである。
【００２５】
画像用記録媒体１０７は、インターフェース（図示せず）を介して画像処理制御回路１０５に接続されており、撮影データと画像データをまとめてＥｘｉｆと呼ばれるファイル形式で記録する。画像形式は、ＲＡＷ，ＪＰＥＧ，Ｔ１ＦＦ等の内から選択することができる。
画像用記録媒体１０７は、コンパクトフラッシュ（登録商標）やＳＤカード、スマートメディア等、複数の種類が提供されているが、本実施形態ではコンパクトフラッシュ（登録商標）を用いる。
【００２６】
背面液晶モニタ制御回路１０８は、背面液晶モニタ３５の表示を制御する回路である。
動画記録制御回路１０９は、撮像素子３３が撮像したスルー画像をリアルタイムに背面液晶モニタ３５に表示させるライブビュー表示の画像を、つぎに説明する音声制御回路１１０で得られた音声データと共に最終的に記録させる。
【００２７】
音声制御回路１１０には、内蔵マイク１３１、内蔵スピーカー１３２、外部マイク接続端子１３３が接続されており、これらから音声入力に基づいて音声データを形成する。内蔵マイク１３１は、動画記録時にマイクによって集音した音声データをＭＣＵ１０１に入カさせる。外部マイク接続端子１３３は、外部マイク２００（図３参照）が接続されている場合において、動画記録時に外部マイクが集音した音声データをＭＣＵ１０１に入カさせる。また内蔵スピーカー１３２は動画再生時に音声テータに基づいて音を再現させる。また、音声制御回路１１０は、外部マイク接続端子１３３に外部マイク２００（図３参照）が接続されたことを検知する機能を有している。
ファインダー内表示制御回路１１１は、ファインダー内液晶１１２とファインダー内バックライト１１３を制御する回路である。
【００２８】
スーパーインポーズ表示制御回路１１４は、ファインダーの測距エリア表示を制御する回路である。
測光回路１１５は、サブイメージセンサ（図示せず）から得られた出カをＡ／Ｄ変換して測光に関するデータをＭＣＵ１０１に出カする回路であり、ＡＳＩＣと呼ばれる画像処理するＩＣを含む。
露出制御回路１１６は、測光回路１１５から得られた被写体の輝度及び撮像感度からシャッタースピードと撮影レンズの絞り値とを演算してシャッター制御部１１７と絞り制御部１１８とを制御する。
【００２９】
レンズ情報入力回路１１９は、カメラ本体１００ａに装着された撮影レンズ１０から、その開放絞り値および焦点距離等の情報が電気信号によって入力される回路である。入力情報には、前述した合焦機構のタイプ（種別）も含まれる。
焦点検出回路１２０は、図１に示すようにカメラ底部にある焦点検出用センサー４１から得られた出カをＡ／Ｄ変換してＭＣＵ１０１に出カする回路である。ＭＣＵ１０１は、この焦点検出回路１２０からの入力情報と、レンズ情報入カ回路１１９からの入力情報を基にレンズ駆動回路１２１を制御して合焦を行う。この焦点検出回路１２０からの入力情報に基づく合焦は、光学像に依拠する位相差検出方式によるものである。
【００３０】
レンズ駆動回路１２１は、撮影レンズ１０の合焦レンズ群を駆動してＡＦ動作させるための回路である。レンズ駆動回路１２１は、ＭＣＵ１０１によって制御される。ＭＣＵ１０１は、レンズ情報入カ回路１１９と、コントラスト焦点検出回路１０２または焦点検出回路１２０とにより得られた制御情報に基づいて、静止画像記録時には焦点検出回路１２０からの情報に基づく位相差検出方式によるＡＦ制御を行い、ライブビュー時および動画像記録時にはコントラスト焦点検出回路１０２からの情報に基づくコントラスト検出方式によるＡＦ制御を行う。
【００３１】
レンズ駆動回路１２１は、レンズ駆動部１４を制御駆動する。
モード設定回路１２２は、露出、オートフォーカス、画像などさまざまなモードを設定する。
オートフォーカスのモードには、オートフォーカスのＯＮとＯＦＦとがあり、さらに、オートフォーカスがＯＮの場合には、静止した一点に一度合焦するモードや、被写体の移動に追随して合焦し続けるモード等を有し、選択可能となっている。
【００３２】
設定操作部材１２３は、当該カメラ１００に対する設定操作を行うスイッチであり設定操作に応じた操作信号をＭＣＵ１０１へ出カする。その中でＳＷ１はレリーズボタンの第１ストロークに連動する半押しスイッチであり、ＳＷ２はさらにレリーズボタンの第２ストロークと連動する全押しスイッチである。また、設定操作部材１２３は、後述する、ＡＦをＯＮ／ＯＦＦするＡＦボタン９１（図３参照）、ライブビューを開始するライブビューボタン９２（図３参照）および動画記録を開始するマルチセレクター９３の中央ボタン９３Ｍ（図３参照）を備えている。
【００３３】
つぎに、カメラ本体１００ａの外部マイク接続端子１３３への外部マイク２００（図３参照）の接続と、動画像の記録操作およびＭＣＵ１０１による動画像記録時における制御について説明する。
図３は、カメラ１００における接続端子配設側の側面図である。図４は、カメラ１００の背面図である。図５は、動画像記録時における制御フローチャートである。
【００３４】
図３に示すように、外部マイク接続端子１３３は、カメラ本体１００ａの側面に配置されたインターフェイスパネル９８に設けられている。
外部マイク２００は、ペンタプリズム部の上側に設けられたアクセサリシュー９９に装着され、接続ケーブル２０１を介して外部マイク接続端子１３３に接続される。なお、外部マイク２００は、アクセサリシュー９９に装着されるものに限定されるものではない。
【００３５】
図４に示すように、カメラ本体１００ａの背面には、前述した設定操作部材１２３（図２参照）を構成する種種の操作ボタン類が配設されているが、ここでは、本実施形態の特徴部分であるＡＦのＯＮ／ＯＦＦと、ライブビューおよび動画像記録に関連するものに絞って説明する。
カメラ本体１００ａの背面には、中央に背面液晶モニタ３５が配設されており、その周囲に、ＡＦボタン９１と、ライブビューボタン９２と、中央ボタン９３Ｍを備えるマルチセレクター９３と、メニューボタン９４と、が設けられている。ライブビューボタン９２は、以下の説明ではＬＶボタン９２と呼称する。
【００３６】
ＡＦボタン９１は、背面液品モニタ３５の図中右上側に配置されており、押圧することでＡＦをＯＮ／ＯＦＦする機能が割り付けられている。
ＬＶボタン９２は、背面液品モニタ３５の右下側に配置されており、押圧することでライブビューを開始（ＯＮ）させる機能が割り付けられている。
【００３７】
マルチセレクター９３は、背面液品モニタ３５の右側に配置されており、中央ボタン９３Ｍを押圧することで動画記録を開始（ＯＮ）させる機能が割り付けられている。
メニューボタン９４は、背面液品モニタ３５の左上側に配置されており、背面液晶モニタ３５に操作メニューを呼び出すことを主機能とするが、ライブビュー及び動画記録時においては、その押圧によってライブビュー及び動画記録を終了（ＯＦＦ）する機能が割り付けられている。
【００３８】
つぎに、図５に示す制御フローチャートに従って、動画像記録時におけるＭＣＵ１０１による制御を説明する。
まず、ＬＶボタン９２が押圧状態にある（ＯＮ）か否かを判定する（ステップ１）。なお、以下の説明および図５では、「ステップ」は「Ｓ」とも略記する。
ステップ１において、ＬＶボタン９２がＯＮと判定されると、ライブビューを開始する。すなわち、スルー画像を背面液品モニタ３５に表示させる（Ｓ２）。なお、ライブビューは、動画像記録の前提である。
【００３９】
ついで、外部マイク接続端子１３３に外部マイク２００が接続されているか否かを判定する（Ｓ３）。
ステップ３において、外部接統マイク端子１３３に外部マイク２００が接続されていると判定されると、つぎにマルチセレクター９３の中央ボタン９３Ｍが押圧状態にある（ＯＮ）か否か判定する（Ｓ４）。
ステップ４において、マルチセレクター９３の中央ボタン９３ＭがＯＮであると判定されると、動画像記録と外部マイク２００からの音声記録とを開始する（Ｓ５）。
一方、ステップ３において、外部接統マイク端子１３３に外部マイク２００が接続されていないと判定された場合には、コントラストＡＦ禁止のフラグを立て、以後のステップにおけるコントラストＡＦを禁止する（Ｓ６）。
【００４０】
つぎに、ＡＦボタン９１が押圧状態にある（ＯＮ）か否かを判定する（Ｓ７）。
ステップ７において、ＡＦボタン９１がＯＮであると判定されると、コントラスト検出方式のＡＦを行う（Ｓ８）。なお、以下の説明では、このコントラスト検出方式によるＡＦ制御を、コントラストＡＦと呼称する。
一方、ステップ７において、ＡＦボタン９１がＯＮでないと判定された場合には、このＳ７の判定を繰り返す。
【００４１】
ついで、合焦しているか否かを判定する（Ｓ９）。このステップ９において合焦していると判定されると、このフローチャートは一時停止する。ただし、被写体が動体であれば常に合焦状態を判定し続ける。
ステップ９において、合焦していないと判定された場合には、ステップ８のコントラストＡＦを継続する。
そして、メニューボタン９４が押圧されている（ＯＮ）か否かを検出し（Ｓ１０）、ここでＯＮと判定されると動画記録を停止する。
【００４２】
以上説明した実施形態によれば、動画像記録時において、カメラ本体１００ａの外部マイク接続端子１３３に接続した外部マイク２００から録音を行う場合に限り、ＡＦ動作（コントラストＡＦ）を行う。これにより、動画像記録時において不要なＡＦ動作音の記録を防ぐことができる。つまり、内蔵マイク１３１は、カメラ本体１００ａに内蔵されているため、ＡＦ作動音を記録してしまい易く、カメラ本体１００ａの構成部材を介して伝達されたＡＦ作動時の振動も音として記録される可能性がある。これに対して外部マイク２００を用いる場合には、配設位置をＡＦ駆動装置から離間した位置に設定することができ、ＡＦ駆動装置の作動音や振動が入力することない状態で、音声を記録することができる。
【００４３】
（第２実施形態）
つぎに、動画像記録時におけるＭＣＵ１０１による制御の第２実施形態について説明する。図６は、第２実施形態である動画像記録時における制御フローチャートを示す。なお、カメラ１００における各部の構成および機能は前述の実施形態と同一であるためその説明は省略する。
【００４４】
第２実施形態における制御は、撮影レンズ１０の種別によって、動画像記録時におけるＡＦ作動を制御するものである。
すなわち、まず、ＬＶボタン９２が押圧状態にある（ＯＮ）か否かを判定する（Ｓ１１）。
ステップ１１において、ＬＶボタン９２がＯＮと判定されると、ライブビューを開始し（Ｓ２）、スルー画像を背面液晶モニタ３５に表示させる。
【００４５】
ついで、撮影レンズ１０の種別を参照し、撮影レンズ１０のレンズ駆動部１４が、例えば超音波モータであるか否かを判定する（Ｓ１３）。超音波モータは例えばＤＣモータと比べると作動音が小さく、内蔵マイク１３１により音声を取得しても影響は少ないからである。
ステップ１３において、撮影レンズ１０が、超音波モータ駆動型である場合には、マルチセレクター９３の中央ボタン９３Ｍが押圧状態にある（ＯＮ）か否か判定する（Ｓ１４）。
ステップ１４において、マルチセレクター９３の中央ボタン９３ＭがＯＮであると判定されると、動画像記録と音声記録とを開始する（Ｓ１５）。音声記録は、その入力が内蔵マイク１３１または外部マイク２００の何れであるかを問わない。
【００４６】
一方、ステップ１３において、撮影レンズ１０が、超音波モータ駆動型でないと判定された場合には、つぎに、外部接統マイク端子１３３に外部マイク２００が接続されているか否かを判定する（Ｓ１６）。
ステップ１６において、外部接統マイク端子１３３に外部マイク２００が接続されていると判定されると、ステップ１４におけるマルチセレクター９３の中央ボタン９３Ｍの押圧判定に入る。
ステップ１６において、外部接統マイク端子１３３に外部マイク２００が接続されていないと判定された場合には、コントラストＡＦ禁止のフラグを立て、以後のステップにおけるコントラストＡＦを禁止する（Ｓ１７）。
【００４７】
つぎに、ＡＦボタン９１が押圧状態にある（ＯＮ）か否かを判定する（Ｓ１８）。
ステップ１８において、ＡＦボタン９１がＯＮであると判定されると、コントラストＡＦを行う（Ｓ１９）。
一方、ステップ１８において、ＡＦボタン９１がＯＮでないと判定された場合には、このステップ１８の判定を繰り返す。
【００４８】
ついで、合焦しているか否かを判定する（Ｓ２０）。このステップ２０において合焦していると判定されると、このフローチャートは一時停止する。ただし、被写体が動体であればつねに合焦状態を判定し続ける。
ステップ２０において、合焦していないと判定された場合には、ステップ１９のコントラストＡＦを継続する。
そして、メニューボタン９４が押圧されている（ＯＮ）か否かを検出し（Ｓ２１）、ここでＯＮと判定されると動画像記録を停止する。
【００４９】
以上説明した第２実施形態の構成によれば、撮影レンズ１０が超音波モータ駆動型である場合には動画像記録時中ＡＦ作動を行い、撮影レンズ１０が超音波モータ駆動型でない場合には、カメラ本体１００ａの外部マイク接続端子１３３に接続した外部マイク２００から録音を行う場合に限ってＡＦ制御（コントラストＡＦ）を行う。これにより、動画像記録時において不要なＡＦ作動音が記録されることを防ぐことができる。
【００５０】
以上、本実施形態によると、以下の効果を有する。
（１）動画像記録時において、カメラ本体１００ａの外部マイク接続端子１３３に接続した外部マイク２００から録音を行う場合に限ってＡＦ動作を行うことにより、ＡＦ駆動装置の作動音や振動が入力することない状態で音声を記録しつつ動画像を記録することができる。
【００５１】
（２）撮影レンズ１０が超音波モータ駆動型である場合には動画像記録時中ＡＦ制御を行い、撮影レンズ１０が超音波モータ駆動型でない場合には、カメラ本体１００ａの外部マイク接続端子１３３に接続した外部マイク２００から録音を行う場合に限ってＡＦ制御（コントラストＡＦ）を行うことにより、動画像記録時において不要なＡＦ作動音の記録を防ぐことができる。
【００５２】
（変形形態）
以上、説明した実施形態に限定されることなく、以下に示すような種々の変形や変更が可能であり、それらも本発明の範囲内である。
（１）本実施形態では、外部マイク２００をカメラ本体１００ａに設けられたアクセサリシュー９９に装着したが、外部マイク２００は、これに限らず、別体のスタンド等に支持されたものであっても良いものである。
（２）また、第２実施形態において、超音波モータ駆動型の撮影レンズ１０について説明したが、これに限定されず、駆動音が小さいタイプであれば他のモータ駆動型の撮影レンズであっても第２実施形態は適用できる。
なお、実施形態及び変形形態は、適宜組み合わせて用いることもできるが、詳細な説明は省略する。また、本発明は以上説明した実施形態によって限定されることはない。
【符号の説明】
【００５３】
１００：カメラ、１０：撮影レンズ、１００ａ：カメラ本体、２１：メインミラー、３３：撮像素子、５０：ファインダー部、１０１：ＭＣＵ、１０２：コントラスト焦点検出回路、１０５：画像処理制御回路、１０９：動画記録制御回路、１１０：音声制御回路、１１９：レンズ情報入カ回路、１２０：焦点検出回路、１２１：レンズ駆動回路、１３１：内蔵マイク、１３３：外部マイク接続端子、２００：外部マイク
【図１】
2010178279.tif 000003
【図２】
2010178279.tif 000004
【図３】
2010178279.tif 000005
【図４】
2010178279.tif 000006
【図５】
2010178279.tif 000007
【図６】
2010178279.tif 000008